(57)【要約】      （修正有）【課題】顔認証を活用して入場する人をチェックし、且つ除菌をすることができる入場管理装置を提供する。【解決手段】入場管理装置１０は、撮像手段を有する顔認証システムを備えた入出場者管理装置２０と、訪問者の手指の除菌をする消毒液を抽出または噴霧する除菌装置１００と、訪問者の全身または半身を除菌する除菌ミストシャワー装置とを備え、入場する場所の入り口に設置された撮像手段により撮像された訪問者の顔画像に関する情報を受け付けると、撮像手段により撮像された訪問者の顔画像に関する情報と記録されている訪問者の顔画像に関する情報とを比較することにより訪問者の認証を行い、入場をするように構成されている。【選択図】図１
0003231594.tif 000002
【実用新案登録請求の範囲】
【請求項１】
撮像手段を有する顔認証システムを備えた、入出場者管理装置と、
訪問者の手指の除菌をする消毒液を抽出または噴霧する除菌装置と、
訪問者の全身または半身を除菌する除菌ミストシャワー装置とを備え、
入場する場所の入り口に設置された撮像手段により撮像された訪問者の顔画像に関する情
報を受け付けると、撮像手段により撮像された訪問者の顔画像に関する情報と記録されて
いる訪問者の顔画像に関する情報とを比較することにより訪問者の認証を行い、入場を許
可するように構成された、入場管理装置。
【請求項２】
顔認証システムは、出勤及び退勤を管理するシステムにおいて管理している顔写真と照
合し、入場者が出勤したこと及び退勤したことを管理するように構成された、請求項１に
記載の入場管理装置。
【請求項３】
入出場者管理装置は、温度検知システムを備え、入場者の顔を撮像するときに、温度セ
ンサー素子により入場者の体温を測定するように構成された、請求項１または請求項２に
記載の入場管理装置。
【請求項４】
入出場者管理装置は、マスク着用の有無を判断するマスク非着用を判断する手段を備え
、撮像手段により入場者を撮像した画像からマスク非着用を判断したときに、マスク着用
を促す音声または表示をするように構成された、請求項１ないし請求項３のいずれかに記
載の入場管理装置。
【請求項５】
入出場者管理装置は、入出場ゲートと電気的に接続され又は通信手段により接続され、
温度検知システムにより検温された体温が設定温度を超えた場合、入出場ゲートが開かな
いようにするかまたは施錠するように構成された、請求項３に記載の入場管理装置。
【請求項６】
入出場者管理装置は、訪問者の顔に近い位置に固定され、
除菌装置は、訪問者の手に近い位置に取り付けられ、
除菌ミストシャワー装置は、１８０ｃｍの高さより、下方において複数個配設され、大
人から子供までミスト除菌をすることができるように構成された、請求項１ないし請求項
６のいずれかに記載の入場管理装置。
【請求項７】
入場管理装置は、立方体状の基礎部の上に、垂直状に伸びる柱状態の設置部を備えてお
り、
前記設置部に、上部に入力手段及び撮像手段を有する顔認証システムを備えたＡＩ認証
端末により構成された、入出場者管理装置と、
訪問者の手指の除菌をする消毒液を抽出又は噴霧する除菌装置と、
訪問者の前身又は半身を除菌する除菌ミストシャワー装置とを備えており、
前記設置部は、入出場者管理装置を上部に配設され、
除菌装置を前記入出場者管理装置より下方に配設され、
上部から下方に亘って、除菌ミストシャワー装置のミストノズルが配設され、
前記基礎部は、除菌ミストシャワー装置を構成する貯水槽、超音波振動装置及び送風装
置が配設され、
前記基礎部に配設された除菌ミストシャワー装置には、前記貯水槽の底部に設けられ、
霧を発生させる超音波振動装置及び前記送風装置により供給された空気を、前記貯水槽の
上部の霧が発生する空間に送るために接続される送風管が配置され、設置部に配設された
前記ミストノズルと前記貯水槽の間には、吐出管が配設され、
前記吐出管は、設置部の中に形成された空洞部に配設された、
請求項１ないし請求項６のいずれかに記載の入場管理装置。
【請求項８】
前記除菌装置は、噴射装置、消毒液収容容器及び容器保持具を備え、
前記消毒液収容容器は、密封容器を構成する胴部、口部及び蓋部を備え、
前記容器保持具は、消毒液収容容器及び噴射装置を固定する本体部と、カバー部と、壁
面取り付け部とを備え、
前記本体部は、噴射装置の側面を保持して固定するための噴射装置固定部と、噴射装置
のノズル部を固定するノズル固定部とを備え、
噴射装置は、消毒液収容容器に収容された消毒液を霧状態にするようにするための噴射
機構部と、噴射機構部で生成された霧状態の消毒液を人の手指に向けて噴射するノズル部
とを備え、
噴射装置は、検知手段により、噴射対象物である人の手指が噴射予定位置に接近したこ
とを検知して、噴射装置制御手段によって制御されて、噴射機構部により、消毒液収容容
器内の消毒液を霧状態にしてノズル部から噴射対象物へ自動で噴射するように構成された
、請求項１ないし請求項７のいずれかに記載の入場管理装置。
【請求項９】
前記除菌装置は、前記検知手段により人の手指が噴射予定位置に接近したことを検知す
ることにより、前記噴射装置制御手段により制御された時間を前記訪問者への前記消毒液
の噴射時間として取得し、前記訪問者の個人情報として取得する手段を有する、請求項８
に記載の入場管理装置。
【請求項１０】
入場管理装置は、立方体状の基礎部の上に、垂直状に伸びる柱状態の設置部を備えてお
り、
前記設置部に、撮像手段を有する顔認証システムを備えた入出場者管理装置と、
訪問者の前身又は半身を除菌する除菌ミストシャワー装置とを備えており、
入場する場所の入り口に設置された撮像手段により撮像された訪問者の顔画像に関する情報を受け付けると、撮像手段により撮像された訪問者の顔画像に関する情報と記録されている訪問者の顔画像に関する情報とを比較することにより訪問者の認証を行い、入場を許可するように構成された、入場管理装置。
【請求項１１】
前記除菌ミストシャワー装置は、
入場管理装置を構成する基礎部の上に垂直状に伸びる柱状態の設置部に設けられた、噴霧用ボタンを押すことにより除菌ミストシャワー装置を作動して、ミストシャワーを噴霧するように構成された、
又は、
入場管理装置を構成する基礎部の周辺に設けられた、足踏み式スイッチを踏むことにより除菌ミストシャワー装置を作動して、ミストシャワーを噴霧するように構成された、請求項７または１０に記載の入場管理装置。
【請求項１２】
入場管理装置は、立方体状の基礎部の上に、垂直状に伸びる柱状態の設置部を備えてお
り、
前記設置部に、上部に入力手段及び撮像手段を有する顔認証システムを備えたＡＩ認証
端末により構成された、入出場者管理装置と、
訪問者の前身又は半身を除菌する除菌ミストシャワー装置とを備えており、
前記設置部は、入出場者管理装置を上部に配設され、
上部から下方に亘って、除菌ミストシャワー装置のミストノズルが配設され、
前記基礎部は、除菌ミストシャワー装置を構成する貯水槽、超音波振動装置及び送風装
置が配設され、
前記基礎部に配設された除菌ミストシャワー装置には、前記貯水槽の底部に設けられ、
霧を発生させる超音波振動装置及び前記送風装置により供給された空気を、前記貯水槽の
上部の霧が発生する空間に送るために接続される送風管が配置され、設置部に配設された
前記ミストノズルと前記貯水槽の間には、吐出管が配設され、
前記吐出管は、設置部の中に形成された空洞部に配設された、
請求項１０に記載の入場管理装置。
【考案の詳細な説明】
【技術分野】
【０００１】
この考案は、入場管理装置に関し、特に、例えば、訪問者が特定の場所に入場するに際
し、顔認証を行い、その場で入場者の消毒を行うことができる入場管理装置に関する。
【背景技術】
【０００２】
顔認証を行う顔認証システムが、提案され、入力された顔データとあらかじめ登録され
た登録顔データと照合して本人認証を行う顔認証システムが提案されている。
【先行技術文献】
【特許文献】
【０００３】
【特許文献１】特開２０１９−１９７４２６号公報
【考案の概要】
【考案が解決しようとする課題】
【０００４】
現在、感染症に強い空間作りを求められており、会社や介護施設などに入場する訪問者
を、入場する前に入場して良いかどうかチェックし、かつ入場する人が感染症を引き起こ
すウイルスや菌を入場する場所に持ち込まないようにすることができる手段が求められて
いる。
【０００５】
この考案は、かかる事情に鑑みてなされたもので、顔認証を活用して入場する人をチェ
ックし、且つ除菌をすることができる装置を提供することである。
【課題を解決するための手段】
【０００６】
この入場管理装置、
撮像手段を有する顔認証システムを備えた、入出場者管理装置と、
訪問者の手指の除菌をする消毒液を抽出または噴霧する除菌装置と、
訪問者の全身または半身を除菌する除菌ミストシャワー装置とを備え、
入場する場所の入り口に設置された撮像手段により撮像された訪問者の顔画像に関する
情報を受け付けると、撮像手段により撮像された訪問者の顔画像に関する情報と記録され
ている訪問者の顔画像に関する情報とを比較することにより訪問者の認証を行い、入場を
するように構成されている。
【０００７】
顔認証システムは、出勤及び退勤を管理するシステムにおいて管理している顔写真と照
合し、入場者が出勤したこと及び退勤したことを管理するように構成されていても良い。
【０００８】
入出場者管理装置は、温度検知システムを備え、入場者の顔を撮像するときに、温度セ
ンサー素子により入場者の体温を測定するように構成されていても良い。
【０００９】
入出場者管理装置は、マスク着用の有無を判断するマスク非着用を判断する手段を備え
、撮像手段により入場者を撮像した画像からマスク非着用を判断したときに、マスク着用
を促す音声または表示をするように構成されていても良い。
【００１０】
入出場者管理装置は、入出場ゲートの施錠システムと電気的に接続され又は通信手段に
より接続され、温度検知システムにより検温された体温が設定温度を超えた場合、入出場
ゲートが開かないようにするかまたは施錠するように構成されていても良い。
【００１１】
入出場者管理装置は、訪問者の顔に近い位置に固定され、除菌装置は、訪問者の手に近
い位置に取り付けられ、除菌ミストシャワー装置は、１８０ｃｍの高さより、下方におい
て複数個配設され、大人から子供までミスト除菌をすることができるように構成されてい
ても良い。
【００１２】
さらに、除菌装置は、前記検知手段により人の手指が噴射予定位置に接近したことを検
知することにより、前記噴射装置制御手段により制御された時間を前記訪問者への前記消
毒液の噴射時間として取得し、前記訪問者の個人情報として取得する手段を有するように
構成されていても良い。
【考案の効果】
【００１３】
この考案によれば、顔認証を活用して入場する人をチェックし且つその場で入場する人
の除菌をすることができ、感染症に強い空間作りをすることができる。
【図面の簡単な説明】
【００１４】
【図１】この考案に係る入場管理装置を示す斜視図解図である。
【図２】顔認証システムを備えた入場管理装置の正面図解図である。
【図３】顔認証システムを備えた入場管理装置の背面図解図である。
【図４】顔認証システムを備えた入場管理装置の使用方法を示す斜視図解図である。
【図５】顔認証システムを備えた入場管理装置の使用方法を示す斜視図解図である。
【図６】図１に示す除菌装置の図解図である。
【図７】除菌ミストシャワー装置を示す図解図である。
【図８】除菌ミストシャワー装置の構造を示す図解図である。
【図９】除菌ミストシャワー装置の構造を示す図解図である。
【図１０】この考案の実施の形態にかかる顔認証システムを概略的に示す図解図であ    る。
【図１１】顔認証システムの処理フローである。
【図１２】顔認証システムのデータを示す図である。
【図１３】顔認証システムに接続される出勤退勤管理システムの構成を示すブロック    図である。
【図１４】図１に示す顔認証にシステム接続される出勤退勤管理システムの構成を示    すブロック図である。
【図１５】除菌装置の使用方法を示す処理フローである。
【図１６】除菌ミストシャワー装置の使用方法を示す処理フローである。
【図１７】この考案に係る入場管理装置を示す斜視図解図である。
【考案を実施するための形態】
【００１５】
以下、本考案にかかる入場管理装置について、図１から図１０に示す考案を実施するた
めの形態に基づいて説明する
【００１６】
（入場管理装置）
この入場管理装置１０は、撮像手段３２を有する顔認証システムＳ１を備えた、入出場
者管理装置２０と、訪問者Ｖの手指の除菌をする消毒液を抽出または噴霧する除菌装置１
００と、訪問者Ｖの全身または半身を除菌する除菌ミストシャワー装置１５０とを備え、
入場する場所の入り口に設置された撮像手段３２により撮像された訪問者Ｖの顔画像に関
する情報を受け付けると、撮像手段３２により撮像された訪問者Ｖの顔画像に関する情報
と記録されている訪問者Ｖの顔画像に関する情報とを比較することにより訪問者Ｖの認証
を行い、入場をするように構成されている。
【００１７】
この入場管理装置１０は、立方体状の基礎部１２の上に、垂直状に伸びる柱状態の設置
部１４を備えており、前記設置部１４に、入出場者管理装置２０を備えている。
【００１８】
前記基礎部１２は、除菌ミストシャワー装置１５０を構成する貯水槽１５２、超音波振
動装置１５４及び送風装置１６０が配設され、前記基礎部１２に配設された除菌ミストシ
ャワー装置１５０には、貯水槽１５２の底部に設けられ、霧を発生させる超音波振動装置
１５４及び送風装置１６０により供給された空気を、貯水槽１５２の上部の霧が発生する
空間に送るために接続される送風管１６２が配置され、設置部１４に配設されたミストノ
ズル１５８と貯水槽１５２の間には、吐出管１６４が配設され、吐出管１６４は、設置部
１４の中に形成された空洞部に配設されている。
【００１９】
前記除菌装置１００は、噴射装置１３０、消毒液収容容器１１０及び容器保持具１２０
を備え、前記消毒液収容容器１１０は、密封容器を構成する胴部１１２、口部１１４及び
蓋部１１６を備え、前記容器保持具１２０は、消毒液収容容器１１０及び噴射装置１３０
を固定する本体部と、カバー部１２４と、壁面取り付け部とを備え、前記本体部は、噴射
装置１３０の側面を保持して固定するための噴射装置固定部１２２ａと、噴射装置１３０
のノズル部１３６を固定するノズル固定部１２２ｂとを備え、噴射装置１３０は、消毒液
収容容器１１０に収容された消毒液を霧状態にするようにするための噴射機構部１３４と
、噴射機構部１３４で生成された霧状態の消毒液を人の手指に向けて噴射するノズル部１
３６とを備え、噴射装置１３０は、検知手段１４０により、噴射対象物である人の手指が
噴射予定位置に接近したことを検知して、噴射装置制御手段１３８によって制御されて、
噴射機構部１３４により、消毒液収容容器１１０内の消毒液を霧状態にしてノズル部１３
６から噴射対象物へ自動で噴射するように構成されている。
【００２０】
顔認証システムＳ１は、入出場者管理装置（ＡＩ認証端末）２０に備えられ、顔認証用
記憶装置２２及び入出場者管理装置２０の入力手段２４により、訪問者に関する情報、例
えば、訪問者の氏名、生年月日、性別、メールアドレス、電話番号、ＩＤなどの訪問者に
関する情報を入力することができるように構成され、該訪問者に関する情報を記憶する記
憶部５０を備える。
【００２１】
入力手段２４は、顔認証用記憶装置２２に接続されたコンピューターの入力装置であり
、主に、ＰＣが用いられ、訪問者に関する情報を入力することができるように構成されて
いる。なお、入力手段２４は、入出場者管理装置（ＡＩ認証端末）２０の表示手段３４に
備えられた訪問者が指でタッチすることにより信号を送信することができる入力装置（タ
ッチパネル）を備えていてもよい。
【００２２】
本実施の形態による顔認証システムＳ１は、訪問者受付システムＳ２を有しており、入
出場者管理装置（ＡＩ認証端末）２０及び顔認証用記憶装置２２に備えられている。
【００２３】
訪問者受付システムＳ２は、出退勤管理システムＳ３と連動するように構成されている
。
更に、顔認証システムＳ１は、入場者が入場しようとするスペースの入り口に設けられ
たゲートに備えられた施錠システムＳ５に接続できるように構成されている。
【００２４】
入出場者管理装置２０は、主として、入力手段２４、表示手段３４及び撮像手段３２を
有し、顔認証システムＳ１を備えたＡＩ認証端末により構成されている。
【００２５】
訪問者受付システムＳ２は、入場する場所の入り口に設置された撮像手段３２により撮
像された訪問者の顔画像に関する情報を受け付けると、撮像手段３２により撮像された訪
問者の顔画像に関する情報と顔認証用記憶装置２２に記録されている訪問者の顔画像に関
する情報とを比較することにより訪問者の認証を行い、入場を許可か否かを判断しうるよ
うに構成されている。
【００２６】
この実施の形態に係る入出場者管理装置（ＡＩ認証端末）２０は、撮像装置を構成する
カメラ付きデバイスを備えており、顔認証システムＳ１を構成する訪問者受付システムＳ
２に関する中央演算処理装置４０及び記憶部５０を有する情報処理装置３０と、訪問者を
撮像する撮像手段（カメラ）３２と、表示手段３４と、通信手段３６と、電源部３８とを
備える。
【００２７】
情報処理装置３０は、例えばコンピュータなどから構成されている。ＣＰＵなどのプロ
セッサを備える中央演算処理装置４０は、例えば、ＣＰＵ（Ｃｅｎｔｒａｌ  Ｐｒｏｃｅ
ｓｓｉｎｇ  Ｕｎｉｔ）により構成される。また記憶部５０は、プログラム及び各種デー
タを記憶するメモリを備える。さらに、記憶部５０は、訪問者情報記憶部５２および物体
情報記憶部５４を含む。
【００２８】
入出場者管理装置（ＡＩ認証端末）２０を構成するカメラ付きデバイスは、タブレット
やスマートフォンなどを含む単体で、カメラの機能を有する電子部品、機器、周辺機器で
構成されている。
カメラ付きデバイスは、ＡＩ（人工知能）を利用して、中央演算処理装置（ＣＰＵ）４
０によって制御される可視光カメラで構成される撮像手段３２のデジタル画像から人を自
動的に識別するためのコンピュータ用アプリケーションを備え、カメラで構成される撮像
手段３２から取得された画像内の顔と思われる部分を抜き出し、顔面画像データベースと
照合することにより、人の識別を行うように構成されている。
また、入出場者管理装置（ＡＩ認証端末）２０は、ＡＩを利用して、中央演算処理装置
（ＣＰＵ）４０によって制御される可視光カメラで構成される撮像手段３２のデジタル画
像から人がマスクをしているか否かを自動的に識別するためのコンピュータ用アプリケー
ションを備える。
これらのコンピュータ用アプリケーションは、後述する画像解析手段４６が有する。
【００２９】
表示手段３４は、撮像手段（可視カメラ）３２から送られてくる映像データまたは画像
データ、訪問者に関する情報及び温度センサーユニットから送られてくる温度データをは
じめとする各種情報を表示する表示器である。表示手段３４は、例えば、液晶パネルなど
で構成されている。
【００３０】
情報処理装置３０は、中央演算処理装置（ＣＰＵ）４０が顔認証システムＳ１の訪問者
受付システムＳ２に関するＡＩ（人工知能）の処理を含むプログラムを実行することで構
築された、訪問者情報処理手段４２と、ＣＰＵによって制御される可視光カメラから送ら
れる画像などの情報を処理する物体情報処理手段４４と、ゲートなどの施錠システムＳ５
等を制御する制御手段４８とが備えるプログラムを処理するための装置である。
【００３１】
訪問者情報処理手段４２は、カメラ付きデバイスのカメラで構成される撮像手段３２に
より撮像された訪問者の画像を取得する画像取得手段３３と、画像取得手段３３により得
られた訪問者の画像を解析する画像解析手段４６と、表示手段３４に訪問者の映像データ
または画像データを送る画像表示手段（不図示）とを備える。
【００３２】
入出場者管理装置（ＡＩ認証端末）２０の撮像手段３２は、情報処理装置３０のＣＰＵ
を含む中央演算処理装置４０によって制御される可視光発光ダイオード（以下、可視光Ｌ
ＥＤ）８０がその発光面を露出させて設けられている。当該可視光ＬＥＤ８０は可視光を
発光する可視光発光部として機能する。当該可視光ＬＥＤ８０の隣には、情報処理装置３
０のＣＰＵを含む中央演算処理装置４０によって制御される撮像手段３２を構成する第１
カメラ（可視光カメラ）８２が入射光口を露出させた状態で設けられている。この第１カ
メラ（可視光カメラ）８２が有するイメージセンサ（不図示）の受光面にはＲＧＢカラー
フィルタ（不図示）が形成されており、当該イメージセンサが受光すると可視画像が生成
される。このように第１カメラ（可視光カメラ）８２は、可視光を受光する可視光受光部
および可視画像を生成する可視画像生成部として機能する。生成された可視画像は、中央
演算処理装置４０のＣＰＵに対して出力される。当該中央演算処理装置４０のＣＰＵは、
可視画像を取得すると、可視画像に含まれる可視シンボルから情報を得るための所定のア
ルゴリズムを用いて解析を行う。
このようなＣＰＵを含む中央演算処理装置４０は、可視光ＬＥＤ８０の点灯を制御する
制御手段４８、第１カメラ（可視光カメラ）８２から可視画像を取得する画像取得手段、
および取得した可視画像を解析する画像解析手段４６を処理するための装置として機能す
る。
【００３３】
なお、この入出場者管理装置（ＡＩ認証端末）２０の撮像手段３２は、赤外線発光ダイ
オード８４がその発光面を露出した状態で設けられても良い。赤外線発光ダイオード８４
は、中央演算処理装置４０のＣＰＵに電気的に接続されており、中央演算処理装置４０の
ＣＰＵによって制御される。
従って、中央演算処理装置４０のＣＰＵは、赤外線発光ダイオード８４を制御する制御
手段４８として機能している。このような赤外線発光ダイオード８４は、赤外線を発光す
る赤外線発光部として機能する。赤外線発光ダイオード８４の隣には、中央演算処理装置
４０のＣＰＵによって制御される第２カメラ（赤外線カメラ）８６がその入射光口を露出
させた状態で設けられる。赤外線カメラは、そのイメージセンサ（不図示）上に赤外線透
過フィルタ（不図示）を有するものであり、イメージセンサは当該赤外線透過フィルタを
透過して受光した赤外線の強度に応じて赤外線画像を生成する。このように、第２カメラ
（赤外線カメラ）８６は、例えば身分証明書で反射した赤外線を受光する赤外線受光部お
よび赤外線画像を生成する赤外線画像生成部として機能する。
【００３４】
撮像手段３２は、後述する温度センサーユニット６０を構成する温度センサ素子６４と
して機能するサーモグラフィーカメラにより取得された熱画像によって、訪問者の体温を
測定するようにしてもよい。
【００３５】
顔認証システムＳ１を有する入出場者管理装置（ＡＩ認証端末）２０は、温度センサー
ユニット６０を備えても良い。
温度センサーユニット６０は、例えば、温度センサー素子６４と、記憶部５０と、温度
センサーユニット側通信部（通信手段３６）と、表示手段３４と、電源部３８と、異常値
検出手段６２と、制御手段４８とにより構成される。
温度センサー素子６４は、温度を計測するための素子であり、接触式と非接触式に大別
される。
【００３６】
入出場者管理装置（ＡＩ認証端末）２０の記憶部５０は、温度センサー素子６４が検出
した温度データを、一時的に記憶する。
【００３７】
異常値検出手段６２は、温度データの異常値、例えば体温が３７度以上を検出し、異常
検出信号を情報処理装置３０及び制御手段４８に送信する。異常値の値は、任意に設定す
ることができる。
【００３８】
制御手段４８は、ＲＯＭなどの記憶部５０に格納された制御プログラムに従って温度セ
ンサーユニット６０の全体の動作を制御するように構成されている。
異常値検出手段６２により、異常値が検出されたときに、警報手段（アラーム）９２に
警報出すように制御する。なお、警報手段（アラーム）９２により警報を出すと同時、あ
るいはその代わりに、表示手段３４に、異常値が検出されたことを表示させるようにして
もよい。
【００３９】
入出場者管理装置（ＡＩ認証端末）２０は、任意に、訪問者に関する情報、例えば、訪
問者の氏名、生年月日、性別、メールアドレス、電話番号、ＩＤなどの訪問者に関する情
報を入力する入力手段２４を備える。
入力手段２４は、表示手段３４に備えられた訪問者がＰＣに入力することにより信号を
送信することができる入力装置を備えており、訪問者に関する情報を入力することができ
るように構成されている。
この場合、表示手段３４は、例えば、液晶モニター、ＬＥＤが用いられ、動作状態を示
すモニター表示を行う。
【００４０】
電源部３８は、記憶部５０、通信手段３６、表示手段３４、制御手段４８、温度センサ
ー素子６４、第１カメラ（可視光カメラ）８２及び赤外線発光ダイオード８４などに電力
を供給するものであり、例えばリチウムイオン電池などにより構成することができる。
【００４１】
入出場者管理装置（ＡＩ認証端末）２０は、撮像手段３２により、非接触で、訪問者の
マスク着用の有無や発熱者検知し、訪問者情報処理手段４２、物体情報処理手段４４及び
画像解析手段４６により、マスク未着用や異常体温を発見すると、制御手段４８により表
示手段３４の画面表示と警報手段（アラーム）９２の音声発声手段９４によりアラーム音
で知らせる。
【００４２】
前記撮像手段３２を構成する第１カメラ８２及び第２カメラ８６は、本実施の形態では
、入出場者管理装置（ＡＩ認証端末）２０の外側に設置されている。
第１カメラ８２（入力手段）は、入出場者管理装置（ＡＩ認証端末）２０の外側の前に
立って位置する訪問者Ｖの顔画像を撮像可能なよう設置されている。
また、第２カメラ８６（撮像手段）は、入出場者管理装置（ＡＩ認証端末）２０の外側
の前に立って位置する訪問者Ｖの顔につけたマスクや手に所持する物体Ｏの表面を撮像可
能なよう設置されている。
そして、第１カメラ８２及び第２カメラ８６は、情報処理装置３０の中央演算処理装置
４０に電気的に接続されており、訪問者受付システムＳ２の中央演算処理装置４０からの
撮像指令に応じて訪問者Ｖの顔画像及びマスク等の物体Ｏの物体画像（物体撮影画像）を
撮像し、かかる画像を、訪問者情報処理手段４２及び物体情報処理手段４４の画像取得手
段に送信する。
【００４３】
ここで、訪問者Ｖが所持する物体Ｏは、主として、顔につけたマスクである。なお、物
体Ｏは、その他、例えば、訪問者Ｖが常時身につけている腕時計、衣類、財布、携帯電話
などであるが、いかなる物体であってもよい。
【００４４】
なお、第１カメラ８２及び第２カメラ８６の設置位置は、必ずしも上述した位置である
ことに限定されず、少なくとも訪問者Ｖの顔画像と物体Ｏの物体画像とを撮像できる位置
に設置されていればよい。また、第１カメラ及び第２カメラは、１台のカメラで構成され
ていてもよく、かかる１台のカメラで訪問者Ｖの顔と物体Ｏとが撮影できればよい。
【００４５】
（顔認証システムおよび訪問者受付システム）
続いて、顔認証システムＳ１および訪問者受付システムＳ２の他の実施の形態について
説明する。この実施の形態にかかる顔認証システムＳ１および訪問者受付システムＳ２で
は、入出場者管理装置（ＡＩ認証端末）２０および別の入出場者管理装置（ＡＩ認証端末
）２０により事前に訪問者Ｖの訪問者認証情報を取得する場合について説明する。
【００４６】
上記訪問者受付システムＳ２は、中央演算処理装置４０及び記憶部５０を有する入出場
者管理装置（ＡＩ認証端末）２０に備えられている。そして、訪問者受付システムＳ２は
、図１０に示すように、中央演算処理装置４０がプログラムを実行することで構築された
、訪問者情報処理手段４２、物体情報処理手段４４、制御手段４８、を備えている。
【００４７】
顔認証システムＳ１は、訪問者情報処理手段４２（訪問者認証情報取得手段）が、入出
場者管理装置（ＡＩ認証端末）２０及び入出場者管理装置（ＡＩ認証端末）２０とは別の
コンピュータにより事前に訪問者Ｖの訪問者認証情報として、当該訪問者Ｖの顔画像ある
いは顔画像から抽出された顔特徴量を取得して、訪問者情報記憶部５２として機能する記
憶部５０及び顔認証用記憶装置２２に記憶して登録する。このとき、訪問者情報処理手段
４２は、第１カメラ８２にて撮影された訪問者Ｖの顔画像を受け取って当該顔画像から顔
特徴量を抽出して登録してもよく、有線ＬＡＮケーブルを介したＰＣにより他の情報処理
装置から取得した訪問者Ｖの顔画像あるいは顔特徴量を登録してもよい。
【００４８】
顔認証システムＳ１は、顔認証用記憶装置２２及び入出場者管理装置２０の入力手段２
４により、訪問者Ｖに関する情報、例えば、訪問者の氏名、生年月日、性別、メールアド
レス、電話番号、ＩＤ、顔画像などの訪問者に関する情報を入力することができるように
構成され、該訪問者に関する情報（訪問者情報）を記憶する記憶部５０を備える。
【００４９】
入力手段２４は、顔認証用記憶装置２２に接続されたコンピューターの入力装置及び入
出場者管理装置（ＡＩ認証端末）２０の表示手段３４に備えられた訪問者Ｖが指でタッチ
することにより信号を送信することができる入力装置を備えており、訪問者に関する情報
を入力することができるように構成されている。表示手段３４は、液晶ディスプレイなど
の上層に透明なタッチパネルが積層されて構成されたタッチパネルを備える入出力機器と
して構成され、文字や画像を表示するとともに訪問者による訪問者情報の入力を受け付け
る。
【００５０】
本実施の形態による顔認証システムＳ１は、訪問者受付システムＳ２を有しており、入
出場者管理装置（ＡＩ認証端末）２０及び顔認証用記憶装置２２を保有している。
訪問者受付システムＳ２は、出退勤管理システムＳ３と連動するように構成されており
、訪問者受付システムＳ２の記憶部５０及び出退勤管理システムＳ３の記憶部２４０にお
いて記憶されている共通の訪問者Ｖに関する情報を記憶するように構成されている。
したがって、訪問者情報処理手段４２は、記憶部５０及び記憶部２４０において記憶さ
れている、訪問者Ｖに関する情報を、訪問者Ｖの認証に利用することができる。
【００５１】
また、訪問者受付システムＳ２は、訪問者Ｖから入出場者管理装置（ＡＩ認証端末）２
０により入場許可の要求を受けると、訪問者情報処理手段４２が、第１カメラ８２に対し
て撮像指令を送り、当該撮像指令に応じて第１カメラ８２にて撮影された訪問者Ｖの画像
を取得する。そして、訪問者情報処理手段４２は、取得した訪問者Ｖの画像から訪問者Ｖ
の顔画像を抽出し、当該顔画像から訪問者Ｖの訪問者認証情報としての顔特徴量を抽出す
る。さらに、訪問者情報処理手段４２は、抽出した顔特徴量と、予め訪問者情報記憶部５
２として機能する記憶部５０及び顔認証用記憶装置２２の記憶部２４０に登録されている
顔特徴量と、が一致するか否かの認証を行う。認証の結果、一致する場合には認証成功の
旨を、一致しない場合には認証失敗の旨を、入出場者管理装置（ＡＩ認証端末）２０に通
知する。
【００５２】
ここで、上記訪問者情報処理手段４２による顔特徴量の認証処理は、例えば、以下のよ
うにして行う。まず、抽出した特徴量と、予め訪問者情報記憶部５２として機能する記憶
部５０及び記憶部２４０に記憶されている顔特徴量と、の類似度といった認証スコアを算
出し、認証スコアがしきい値よりも高いか否か判定する。そして、認証スコアがしきい値
より高い場合には、認証成功と判断する。但し、認証処理はいかなる方法で行われてもよ
い。
【００５３】
訪問者受付システムＳ２は、訪問者Ｖから入出場者管理装置（ＡＩ認証端末）２０によ
り入場許可の要求を受けると、訪問者情報処理手段４２（物体特徴量取得手段）が、第２
カメラ８６に対して撮像指令を送り、当該撮像指令に応じて第２カメラ８６にて撮影され
た訪問者Ｖが所持するマスクその他の物体Ｏの画像を取得する。そして、物体情報処理手
段４４は、訪問者情報処理手段４２から訪問者Ｖの顔特徴量の認証成功の通知を受けてい
る場合には、取得した物体画像から、マスクその他の物体Ｏの表面に形成されている物体
固有の特徴量となる物体紋様（物体特徴量）を抽出して取得する。さらに、物体情報処理
手段４２は、抽出した物体紋様を物体情報記憶部５４として機能する記憶部５０に記憶し
て登録し、その旨を、入出場者管理装置（ＡＩ認証端末）２０に通知する。
【００５４】
以上のように、訪問者Ｖからの入場許可要求時には、第１カメラ８２にて訪問者Ｖの顔
画像が撮像され、同時に、第２カメラ８６にてマスクその他の物体Ｏの物体画像が撮像さ
れる。そして、訪問者情報処理手段４２にて訪問者Ｖの訪問者認証情報として顔特徴量が
取得され、物体情報処理手段４４にて物体Ｏの物体特徴量として物体紋様が取得される。
【００５５】
次に、かかる構成からなる入場管理装置１０の顔認証システムＳ１により訪問者の確認
を行うときの処理内容について、図１１に基づいて説明する。
顔認証システムＳ１は、ＡＩによる顔認証処理が行われる（ステップＳ１００）。続い
て、顔認証システムＳ１は、入場管理装置１０の入出場者管理装置（ＡＩ認証端末）２０
の前に立った訪問者Ｖが、入出場者管理装置（ＡＩ認証端末）２０により登録情報として
の訪問者の氏名、生年月日、性別、メールアドレス、電話番号、ＩＤなどの訪問者受付情
報を入力する（ステップＳ１０２）。なお、訪問者Ｖの登録情報の入力は任意に設定する
ことができる。
続いて、顔認証システムＳ１は、ＡＩによる顔認証処理の結果、登録者か未登録者かの
判定が行われる（ステップＳ１０４）。登録者と判定された場合、記憶部５０に基づいて
、登録者の個人が特定され時刻が記録される（ステップＳ１０６）。続いて、登録者の場
合は、特定された訪問者の個人情報が読み出される（ステップＳ１０８）。一方、未登録
者と判定された場合、訪問者Ｖが、入出場者管理装置（ＡＩ認証端末）２０により、入力
手段２４にて訪問者受付情報の登録を行うとともに、入出場者管理装置（ＡＩ認証端末）
２０の撮像手段３２によって顔の撮像が行われ、訪問者の顔画像が取得される（ステップ
Ｓ１１０）。
続いて、訪問者がマスクを装着しているか否かの判定が行われる（ステップＳ１１２）
。マスクが装着されていないと判定された場合は、表示手段３４にマスクの装着を促すメ
ッセージが表示される（ステップＳ１１４）。
更に、温度検知システムＳ４により訪問者の体温の測定が行われ、訪問者の体温が適温
か否かの判定が行われる（ステップＳ１１６）。体温測定の結果、適温の場合は、表示手
段３４に入室許可のメッセージが表示され（ステップＳ１１８）、適温でない場合は、表
示手段３４に入室不可のメッセージが表示される（ステップＳ１２０）。
【００５６】
続いて、本実施の形態にかかる顔認証システムＳ１に連動するように運用される出退勤
管理システムＳ３について説明する。
【００５７】
訪問者Ｖにより入力された登録情報、撮像手段３２を構成する第１カメラ（可視光カメ
ラ）（サーモグラフィーカメラ）８２により撮像された顔画像データ、及び第２カメラ（
赤外線カメラ）８６又は温度センサーユニット６０により検知された体温、入所する時間
などにかかる情報が、入出場者管理装置（ＡＩ認証端末）２０の撮像手段３２及び表示手
段３４により情報処理装置３０の顔認証システムＳ１に送られる（図１２参照）。
そして、顔認証システムＳ１から、出退勤管理システムＳ３に、前記訪問者受付情報の
中から出勤及び勤務評価に必要な情報及び顔画像データが送信される。
【００５８】
（出退勤管理システム）
この顔認証システムＳ１は、出退勤管理システムＳ３と、連動する。
以下、出退勤管理システムＳ３を、図１３および図１４を参照して詳細に説明する。
図１３は、勤怠管理システムの一例である本実施の形態の出退勤管理システムＳ３を示
す概略の構成図である。この出退勤管理システムＳ３は、複数の入場出者管理装置２０を
利用した場合の実施の形態を提供する。図１３に示すように、この出退勤管理システムＳ
３では、入出場者管理装置２０は、場所が異なるスペース１ないしスペース３に設置され
る。
【００５９】
出退勤管理システムＳ３では、入出場者管理装置２０は、さらに、出退勤登録端末２１
０を機能として含む。なお、出退勤登録端末２１０は、入出場者管理装置２０とは、別体
として構成されてもよいし、一体に構成されていてもよい。
【００６０】
出退勤管理システムＳ３は、出退勤登録端末（ローカル装置）２１０として機能する入
出場者管理装置（ＡＩ認証端末）２０上で出退勤登録プログラム２４８が動作し、サーバ
装置２１２と相互に通信することによって機能する。この出退勤登録端末（ローカル装置
）２１０として機能する入出場者管理装置（ＡＩ認証端末）２０は、出退勤入力を受け付
けるローカル装置である。これら複数の出退勤登録端末（ローカル装置）２１０として機
能する入出場者管理装置（ＡＩ認証端末）２０は、サーバ装置２１２及び顔認証用記憶装
置２２と有線により接続される。
【００６１】
サーバ装置２１２は、不図示の記憶部に、登録者及び未登録者マスタ２５２、タイムカ
ードテーブル２６０、就業基本情報テーブル２６２、出退勤登録端末テーブル２６４、就
業実績テーブル２６６を格納している。サーバ装置２１２は、更に、不図示のＣＰＵが出
退勤管理プログラムＳ３を実行することにより、同期部２７０、時刻設定部２７２を機能
させている。
【００６２】
登録者及び未登録者マスタ２５２は、全従業員に関する情報を管理するデータベースで
ある。
タイムカードテーブル２６０は、出退勤登録端末（ローカル装置）２１０として機能す
る入出場者管理装置（ＡＩ認証端末）２０から送信された出退勤情報を格納する。タイム
カードテーブル２６０には、出退勤情報と、出退勤登録を行った従業員が所属する支店の
コード情報と、が対応付けられて格納される。
就業基本情報テーブル２６２は、就業の基本情報を管理するデータベースである。具体
的には、出退勤登録端末（ローカル装置）２１０として機能する入出場者管理装置（ＡＩ
認証端末）２０によって登録された出退勤情報を、サーバ装置２１２の就業実績画面に所
属単位で表示できるようにするための情報等を管理するデータベースである。
【００６３】
時刻設定部２７２は、出退勤登録端末（ローカル装置）２１０として機能する入出場者
管理装置（ＡＩ認証端末）２０から受信した出退勤情報をタイムカードテーブル２６０に
格納する。
このように、出退勤管理システムＳ３は、サーバ装置２１２に複数の出退勤登録端末（
ローカル装置）２１０として機能する入出場者管理装置（ＡＩ認証端末）２０が接続され
て構成されるので、複数の勤務するスペース（支店）を有する組織において、各スペース
（各支店）に属する従業員の出退勤を登録することができる。
【００６４】
図１４は、出退勤登録端末（ローカル装置）２１０として機能する入出場者管理装置（
ＡＩ認証端末）２０を示す概略のブロック図である。なお、複数の出退勤登録端末（ロー
カル装置）２１０として機能する入出場者管理装置（ＡＩ認証端末）２０は、同様に構成
されている。
【００６５】
出退勤登録端末（ローカル装置）２１０として機能する入出場者管理装置（ＡＩ認証端
末）２０は、中央演算処理装置（管理手段）２２０、ＲＯＭ（Ｒｅａｄ  Ｏｎｌｙ  Ｍｅ
ｍｏｒｙ）２２２、ＲＡＭ（Ｒａｎｄｏｍ  Ａｃｃｅｓｓ  Ｍｅｍｏｒｙ）２２４、記憶
部２４０を備えている。なお、出退勤登録端末２１０は、例えば、ノートＰＣ（Ｐｅｒｓ
ｏｎａｌ  Ｃｏｍｐｕｔｅｒ）、デスクトップＰＣ等であってもよい。
中央演算処理装置（管理手段）２２０は、ＲＯＭ２２２や記憶部２４０などに記憶され
ている出退勤登録プログラム２４８と、入力手段２２６から入力される各種指示とをＲＡ
Ｍ２２４内のワークメモリに展開する。中央演算処理装置（管理手段）２２０は更に、こ
の入力指示および入力データに応じてワークメモリに展開したプログラムに従って各種処
理を実行し、その処理結果をＲＡＭ２２４内のワークメモリに格納するとともに、表示手
段２３０に表示する。そして中央演算処理装置（管理手段）２２０は、ワークメモリに格
納した処理結果を記憶部２４０内の保存先に保存する。
【００６６】
記憶部２４０は、例えばフラッシュメモリのように磁気的、光学的記憶媒体、または半
導体メモリなどの書換え可能な不揮発性の記憶媒体で構成されている。この記憶部２４０
は、システムプログラムおよび、任意に、このシステムプログラムに対応する出退勤登録
プログラム２４８と、ビジター管理テーブル（マスタ情報の一部）２４２、従業員マスタ
（マスタ情報の一部）２４４、出退勤履歴情報テーブル２４６等を記憶する。
この記憶部２４０は、入場管理装置１０の記憶部５０の情報を記憶する。
サーバ装置２１２は、入出場者管理装置（ＡＩ認証端末）２０の表示手段３４及び撮像
手段３２からの情報を受け付ける。
【００６７】
出退勤登録端末（ローカル装置）２１０は、更に、表示手段２３０、近距離無線通信部
２３２を備えている。なお、必要に応じて、ＮＦＣ（Ｎｅａｒ  Ｆｉｅｌｄ  Ｃｏｍｍｕ
ｎｉｃａｔｉｏｎ）リーダをさらに備えてもよい。
また、表示手段２２６としてはＰＣ端末が用いられるが、例えば、液晶ディスプレイ等
の上層に透明なタッチパネルが積層されて構成された入出力機器であり、文字や画像を表
示するとともに、入出場者管理装置（ＡＩ認証端末）２０の表示手段３４の訪問者の操作
を受け付けるようにしてもよい。
スピーカ２２８は、音声信号を音声に変換して報知するものである。
【００６８】
近距離無線通信部２３２は、例えばＢｌｕｅｔｏｏｔｈ（登録商標） Ｌｏｗ  Ｅｎｅ
ｒｇｙやＷｉ−Ｆｉ（登録商標）による通信手段であり、例えば無線ルータを介してサー
バ装置２１２と相互に通信可能である。この近距離無線通信部２３２によってサーバ装置
２１２と通信することにより、サーバ装置２１２との間で出退勤に係るデータベースを同
期させることができる。
【００６９】
出退勤登録プログラム２４８は、この出退勤登録端末（ローカル装置）２１０に出退勤
登録処理を行わせるためのものである。
ビジター管理テーブル（マスタ情報の一部）２４２は、サーバ装置２１２の登録者及び
未登録者マスタ２５２と同様に、従業員に関する情報を管理するデータベースである。ビ
ジター管理テーブル（マスタ情報の一部）２４２は、秘匿性の低い情報については全従業
員の情報を格納しているが、秘匿性の高い情報については出退勤登録端末２１０が管理す
る各スペース（各支店）の従業員に係る情報のみを格納している。
従業員マスタ（マスタ情報の一部）２４４は、従業員の所属に関する情報を管理するデ
ータベースである。
【００７０】
この実施の形態にかかる顔認証システムＳ１は、会社内のセキュリティレベルが高く設
定されたスペース（場所）の入場前のゲートＧや、玄関のドアなどの施錠・解錠を行うこ
とができるようにするために、入場するスペース（場所）の近傍に設置される情報処理シ
ステムである。
【００７１】
この顔認証システムＳ１は、例えば、セキュリティ機能を備える施錠システムＳ５と連
動するようにしても良い。
上記ゲートＧやドアは、当該ゲートＧやドアの施錠・解錠を行う機構を備えている。そ
して、施錠システムＳ５は、入出場者管理装置（ＡＩ認証端末）２０リレーに有線ＬＡＮ
を介して接続されており、入出場者管理装置（ＡＩ認証端末）２０からの施錠・解錠を指
示する制御信号に応じて、施錠・解錠を行うよう構成されている。
【００７２】
上記施錠システムＳ５は、入出場者管理装置（ＡＩ認証端末）２０の訪問者情報処理手
段４２から訪問者Ｖの認証成功の通知と、物体情報処理手段４４から物体紋様の登録成功
の通知と、を受けると、訪問者情報処理手段４２にて取得した訪問者Ｖの顔特徴量と、物
体情報処理手段４４にて取得した物体紋様（マスク）と、を関連付けて、施錠情報記憶手
段に記憶する。同時に、施錠要求されているゲートＧの錠前装置Ｌを施錠するよう、かか
る錠前装置Ｌに施錠指令を送る。これにより、ゲートＧの錠前装置Ｌが施錠状態となる。
なお、施錠情報記憶手段には、顔特徴量と物体紋様（マスク）との関連付け情報に、施錠
したゲートＧの錠前装置Ｌを特定する情報が対応づけられて記憶される。
【００７３】
（除菌装置の構成）
以下、本考案にかかる除菌装置について、図６に示す実施の形態に基づいて説明する。
図６は、図１に示すカバー部を開いた際の消毒液噴射装置における消毒液収容容器１１０
、容器保持具１２０および噴射装置１３０を示す図解図である。
【００７４】
この実施の形態の除菌装置１００は、人の手指を除菌する消毒液噴射装置であり、設置
部１４の中程に設置され、訪問者Ｖの手が届く位置に配設されている。
【００７５】
この実施の形態においては、除菌装置１００は、図６に示すように、消毒液収容容器１
１０、容器保持具１２０及び噴射装置１３０を備える。
【００７６】
消毒液収容容器１１０は、密封容器を構成する胴部１１２、口部１１４及び蓋部１１６
を備える。
消毒液収容容器１１０は、消毒液を収容する胴部１１２と、胴部１１２の端部に形成され
、消毒液を抽出する口部１１４と、胴部１１２の上端部に形成された蓋部１１６とを備え
る。
【００７７】
容器保持具１２０は、図６に示すように、消毒液収容容器１１０及び噴射装置１３０を
固定する本体部１２２と、カバー部１２４とを備える。
【００７８】
本体部１２２は、噴射装置１３０の側面を保持して固定し、噴射装置１３０の噴射機構
部１３４を係止するバネ状の噴射機構部固定部１２２ａと、噴射装置１３０のノズル部１
３６を係止して固定するノズル固定部１２２ｂとを備える。
【００７９】
本体部１２２は、その背面に、容器保持具１２０を取り付けるための壁面固定部１２６
と、電池収容部１２８とを備える。
【００８０】
噴射装置１３０は、消毒液収容容器１１０の口部１１４を取り付けるための注入部１３
２と、消毒液を霧状態にするようにするための噴射機構部１３４と、噴射機構部１３４で
生成された霧状態の消毒液を人の手指に向けて噴射するノズル部１３６とを備える。
噴射装置１３０は、消毒液を人の手指などの噴射対象物に噴射するように噴射機構部１３
４を制御する噴射装置制御手段１３８と、ノズル部１３６による噴射予定位置に噴射対象
物が接近したことを検知する検知手段１４０とを備える。
噴射装置１３０は、検知手段１４０により、噴射対象物である人の手指が噴射予定位置に
接近したことを検知して、噴射装置制御手段１３８によって制御されて、噴射機構部１３
４により、消毒液収容容器１１０内の消毒液を霧状態にしてノズル部１３６から噴射対象
物へ自動で噴射する。
【００８１】
また、上記構成により、第１の実施の形態の除菌装置１００は、検知手段１４０からの
検知タイミングに基づいて自動でノズル部１３６から消毒液を噴射するため、訪問者Ｖは
、特に噴射開始レバー等を操作しなくて済むため、噴射開始レバーを介して他の使用者か
ら交差感染することも防ぐことができる。
【００８２】
続いて、除菌装置１００の動作について、図１５に基づいて説明する。
まず、除菌装置１００に対して、訪問者Ｖが噴射対象物である手指を噴射予定位置に接
近させると、検知手段１４０が訪問者Ｖの手指が接近したことを検知して、噴射装置制御
手段１３８によって制御されて、噴射機構部１３４により、消毒液収容容器１１０内の消
毒液を霧状態にしてノズル部１３６から噴射対象物である訪問者Ｖの手指へ自動で噴射す
る（ステップＳ２００）。
続いて、除菌装置１００は、噴射装置制御手段１３８により制御された時間を訪問者Ｖ
への消毒液の噴射時間として取得し（ステップＳ２０２）、訪問者Ｖの個人情報として記
憶部５０に書き込まれる（ステップＳ２０４）。
【００８３】
（除菌ミストシャワー装置の構成）
図８は、本考案の第１の実施の形態に係る除菌ミストシャワー装置１５０の一例を示す
図解図である。
【００８４】
本考案の第１の実施の形態に係る除菌ミストシャワー装置１５０は、貯水槽１５２と、
超音波振動装置１５４と、噴霧用ボタン１５６と、ミストノズル１５８と、送風装置１６
０とを備えている。
【００８５】
貯水槽１５２は、密閉型の容器であり、吐出管１６４により超音波振動装置１５４と接
続されている。貯水槽１５２には、送風管１６２が上部に設けられ、この送風管１６２に
は送風装置１６０により送り込まれた空気が貯水槽１５２内の上部の霧が発生する空間に
供給される。
【００８６】
貯水槽１５２の底部には、槽内に供給された除菌液に超音波振動を加えて霧化する超音
波振動装置１５４（霧化手段）が設けられている。貯水槽１５２に貯留された除菌液は、
超音波振動装置１５４の音圧により４〜１０μｍ程度の霧（水粒）に微粒子化（霧化）さ
れる。貯水槽１５２内には霧化された霧は、送風管１６２から送り込まれる送風により吐
出管１６４へ案内される。
【００８７】
送風装置１６０は、送風管１６２を介して貯水槽１５２に接続して、送風装置１６０か
らミストノズル１５８に空気を供給するようにしている。送風装置１６０は、例えば、圧
縮機と、圧縮機を駆動するモーターと、圧縮機で加圧された加圧空気の流量を制御する流
量制御バルブとなどで構成される。送風装置１６０により送風される空気は、貯水層１５
２の上部の霧が発生する空間に送風管１６２を介してミストノズル１５８に供給されてい
る。そして、ミストシャワー制御装置１７０によって制御することにより、送風装置１６
０及び超音波振動装置１５４により霧を発生させ、その発生した霧は、送風管１６２を介
してミストノズル１５８より噴霧される。
【００８８】
この実施の形態においては、除菌ミストシャワー装置１５０は、それを構成する貯水槽
１５２と、超音波振動装置１５４及び噴霧用ボタン１５６と、送風装置１６０とを、基礎
部１４に、格納されている。
除菌ミストシャワー装置１５０は、それを構成するミストノズル１５８が、設置部１４
に、適宜な間隔を開けて四つ垂直方向に並列して、配設されている。
除菌ミストシャワー装置１５０は、ミストシャワー制御装置１７０、超音波振動装置１５４及び送風装置１６０を作動する噴霧用ボタン１５６が、設置部１４の入出場者管理装置２０が設けられた外表面に配設されている。
ミストノズル１５８と貯水槽１５２との間に配設された吐出管１６４は、設置部１４に
適宜な間隔をあけて垂直方向に延伸して、配設されている。
【００８９】
続いて、除菌ミストシャワー装置１５０の動作について、図１６に基づいて説明する。
まず、訪問者Ｖは、除菌ミストシャワー装置１５０に対して、ミストノズル１５８から
改質水を噴霧させるための噴霧用ボタン１５６を、たとえば、１回、押圧する。訪問者Ｖ
は、ミストシャワー制御装置１７０によって制御することにより、ミストノズル１５８か
ら噴霧される改質水を全身に浴びることにより、全身を除菌することができる（ステップ
Ｓ３００）。
続いて、任意に、除菌ミストシャワー装置１５０は、噴霧用ボタン１５６を押圧したか
否かの情報をミストシャワー制御装置１７０により取得され（ステップＳ３０２）、噴霧
用ボタン１５６が押圧されたか否かの情報は、訪問者Ｖの個人情報として記憶部５０に書
き込まれる（ステップＳ３０４）。
【００９０】
前記除菌ミストシャワー装置１５０は、図１７に示すように、
入場管理装置１０を構成する基礎部１２の上に垂直状に伸びる柱状態の設置部１４に設けられた、噴霧用ボタン１５６を押すことにより除菌ミストシャワー装置１５０を作動して、ミストシャワーを噴霧するように構成されているが、それに替えて、入場管理装置１０を構成する基礎部１２の周辺に設けられた、足踏み式噴霧スイッチ１６６を足で踏むことにより除菌ミストシャワー装置１５０を作動して、ミストシャワーを噴霧するように構成してもよい。
【００９１】
また、前記除菌ミストシャワー装置１５０は、入場管理装置１０を構成する基礎部１２の上に垂直状に伸びる柱状態の設置部１４にミストノズル１５８を設け、立った人の手や指の高さに設けられたミストノズル１５８から、人の手や指に向けてミストシャワーを噴霧するように構成しても良い。
【００９２】
以上のように、本考案の実施の形態は、前記記載で開示されているが、本考案は、これ
に限定されるものではない。
すなわち、本考案の技術的思想及び目的の範囲から逸脱することなく、以上説明した実
施の形態に対し、機序、形状、材質、数量、位置又は配置等に関して、様々の変更を加え
ることができるものであり、それらは、本考案に含まれるものである。
【００９３】
たとえば、上述した実施の形態においては、単体の入場管理装置１０におけるシステム
について記載しているが、これに限るものではなく、複数の入場管理装置１０を一括して
管理されるようにしてもよい。
【産業上の利用可能性】
【００９４】
本考案は、訪問者が特定の場所に入場するに際し、顔認証を行い、その場で入場者の消
毒を行うことができる入場管理装置として好適に提供される。
【符号の説明】
【００９５】
１０  入場管理装置
１２  基礎部
１４  設置部
２０  入出場者管理装置（ＡＩ認証端末）
２２  顔認証用記憶装置
２４  入力手段
３０  情報処理装置
３２  撮像手段（画像取得手段）
３４  表示手段
３６  通信手段
３８  電源部
４０  中央演算処理装置
４２  訪問者情報処理手段
４４  物体情報処理手段
４６  画像解析手段
４８  制御手段
５０  記憶部
５２  訪問者情報記憶部
５４  物体情報記憶部
６０  温度センサーユニット
６２  異常値検出手段
６４  温度センサー素子
８０  可視光ＬＥＤ
８２  第１カメラ（可視光カメラ）
８４  赤外線発光ダイオード
８６  第２カメラ（赤外線カメラ）
９２  警報手段（アラーム）
９４  音声発声手段
１００  除菌装置
１１０  消毒液収容容器
１１２  胴部
１１４  口部
１１６  蓋部
１２０  容器保持具
１２２  本体部
１２２ａ  噴射機構部固定部
１２２ｂ  ノズル固定部
１２４  カバー部
１２６  壁面固定部
１２８  電池収容部
１３０  噴射装置
１３２  注入部
１３４  噴射機構部
１３６  ノズル部
１３８  噴射装置制御手段
１４０  検知手段
１５０  除菌ミストシャワー装置
１５２  貯水槽
１５４  超音波振動装置
１５６  噴霧用ボタン
１５８  ミストノズル
１６０  送風装置
１６２  送風管
１６４  吐出管
１６６  足踏み式噴霧スイッチ
１７０  ミストシャワー制御装置
２１０  出退勤登録端末（ローカル装置）
２１２  サーバ装置
２２０  中央演算処理装置（管理手段）
２２２  ＲＯＭ
２２４  ＲＡＭ
２２６  入力手段
２２８  スピーカ
２３０  表示手段
２３２  近距離無線通信部
２４０  記憶部
２４２  ビジター管理テーブル（マスタ情報の一部）
２４４  従業員マスタ（マスタ情報の一部）
２４６  出退勤履歴情報テーブル
２４８  出退勤登録プログラム
２５２  登録者及び未登録者マスタ
２６０  タイムカードテーブル
２６２  就業基本情報テーブル
２６４  出退勤登録端末テーブル
２６６  就業実績テーブル
２７０  同期部
２７２  時刻設定部
Ｓ１  顔認証システム
Ｓ２  訪問者受付システム
Ｓ３  出退勤管理システム
Ｓ４  温度検知システム
Ｓ５  施錠システム
【図１】
0003231594.tif 000003
【図２】
0003231594.tif 000004
【図３】
0003231594.tif 000005
【図４】
0003231594.tif 000006
【図５】
0003231594.tif 000007
【図６】
0003231594.tif 000008
【図７】
0003231594.tif 000009
【図８】
0003231594.tif 000010
【図９】
0003231594.tif 000011
【図１０】
0003231594.tif 000012
【図１１】
0003231594.tif 000013
【図１２】
0003231594.tif 000014
【図１３】
0003231594.tif 000015
【図１４】
0003231594.tif 000016
【図１５】
0003231594.tif 000017
【図１６】
0003231594.tif 000018
【図１７】
0003231594.tif 000019
【手続補正書】
【提出日】令和3年1月22日(2021.1.22)
【手続補正１】
【補正対象書類名】実用新案登録請求の範囲
【補正対象項目名】全文
【補正方法】変更
【補正の内容】
【実用新案登録請求の範囲】
【請求項１】
訪問者を撮影するために、入場する場所の入り口に設置される撮像手段を有し、前記撮像手段により撮像された前記訪問者の顔画像に関する情報を受け付け、前記撮像手段により撮像された前記訪問者の顔画像に関する情報と記録されている前記訪問者の顔画像に関する情報とを比較することにより前記訪問者の認証を行い、入場を許可するように構成された顔認証システムを備えた、入出場者管理装置と、
前記訪問者の手指の除菌をする消毒液を抽出または噴霧する除菌装置と、
前記訪問者の全身または半身を除菌する除菌ミストシャワー装置とを配設した、
設置部を備えた、
入場管理装置。
【請求項２】
前記顔認証システムは、出勤及び退勤を管理するシステムにおいて管理している顔写真と照合し、前記訪問者が出勤したこと及び退勤したことを管理する手段を備えた、請求項１に記載の入場管理装置。
【請求項３】
前記入出場者管理装置は、前記訪問者の顔を撮像するときに、温度センサー素子により前記訪問者の体温を測定するための温度検知システムを備えた、請求項１または請求項２に記載の入場管理装置。
【請求項４】
前記入出場者管理装置は、マスク着用の有無を判断するマスク非着用を判断し、前記撮像手段により前記訪問者を撮像した画像からマスク非着用を判断したときに、マスク着用を促す音声または表示をする手段を備えた、請求項１ないし請求項３のいずれかに記載の入場管理装置。
【請求項５】
前記入出場者管理装置は、入出場ゲートと電気的に接続され又は通信手段により接続され、前記温度検知システムにより検温された体温が設定温度を超えた場合、前記入出場ゲートが開かないようにするかまたは施錠する手段を備えた、請求項３に記載の入場管理装置。
【請求項６】
前記入出場者管理装置は、前記訪問者の顔に近い位置に固定され、
前記除菌装置は、前記訪問者の手に近い位置に取り付けられ、
前記除菌ミストシャワー装置は、大人から子供までミスト除菌をすることができるように、１８０ｃｍの高さより、下方において複数個配設された、請求項１ないし請求項５のいずれかに記載の入場管理装置。
【請求項７】
前記入場管理装置は、立方体状の基礎部の上に、垂直状に伸びる柱状態の前記設置部を備えており、
前記設置部に、上部に入力手段及び前記撮像手段を有する顔認証システムを備えたＡＩ認証端末により構成された、入出場者管理装置と、
前記訪問者の手指の除菌をする消毒液を抽出又は噴霧する除菌装置と、
前記訪問者の全身又は半身を除菌する除菌ミストシャワー装置とを備えており、
前記設置部は、前記入出場者管理装置を上部に配設され、
前記除菌装置を前記入出場者管理装置より下方に配設され、
上部から下方に亘って、前記除菌ミストシャワー装置のミストノズルが配設され、
前記基礎部は、前記除菌ミストシャワー装置を構成する貯水槽、超音波振動装置及び送風装置が配設され、
前記基礎部に配設された前記除菌ミストシャワー装置には、前記貯水槽の底部に設けられ、霧を発生させる前記超音波振動装置及び前記送風装置により供給された空気を、前記貯水槽の上部の霧が発生する空間に送るために接続される送風管が配置され、前記設置部に配設された前記ミストノズルと前記貯水槽の間には、吐出管が配設され、
前記吐出管は、前記設置部の中に形成された空洞部に配設された、
請求項１ないし請求項６のいずれかに記載の入場管理装置。
【請求項８】
前記除菌装置は、噴射装置、消毒液収容容器及び容器保持具を備え、
前記消毒液収容容器は、密封容器を構成する胴部、口部及び蓋部を備え、
前記容器保持具は、消毒液収容容器及び噴射装置を固定する本体部と、カバー部と、壁面取り付け部とを備え、
前記本体部は、前記噴射装置の側面を保持して固定するための噴射装置固定部と、噴射装置のノズル部を固定するノズル固定部とを備え、
前記噴射装置は、前記消毒液収容容器に収容された消毒液を霧状態にするようにするための噴射機構部と、前記噴射機構部で生成された霧状態の消毒液を人の手指に向けて噴射するノズル部とを備え、
前記噴射装置は、検知手段により、噴射対象物である人の手指が噴射予定位置に接近したことを検知して、噴射装置制御手段によって制御されて、前記噴射機構部により、消毒液収容容器内の消毒液を霧状態にして前記ノズル部から前記噴射対象物へ自動で噴射する手段を備えた、請求項１ないし請求項７のいずれかに記載の入場管理装置。
【請求項９】
前記除菌装置は、前記検知手段により人の手指が噴射予定位置に接近したことを検知することにより、前記噴射装置制御手段により制御された時間を前記訪問者への前記消毒液の噴射時間として取得し、前記訪問者の個人情報として取得する手段を有する、請求項８に記載の入場管理装置。
【請求項１０】
入場管理装置は、立方体状の基礎部の上に、垂直状に伸びる柱状態の設置部を備えており、
前記設置部に、
訪問者を撮影するために、入場する場所の入り口に設置される撮像手段を有し、前記撮像手段により撮像された前記訪問者の顔画像に関する情報を受け付け、前記撮像手段により撮像された前記訪問者の顔画像に関する情報と記録されている前記訪問者の顔画像に関する情報とを比較することにより前記訪問者の認証を行い、入場を許可するように構成された顔認証システムを備えた入出場者管理装置と、
前記訪問者の全身又は半身を除菌する除菌ミストシャワー装置とを備えた、
入場管理装置。
【請求項１１】
前記除菌ミストシャワー装置は、
前記入場管理装置を構成する前記基礎部の上に垂直状に伸びる柱状態の前記設置部に設けられ、ミストシャワーを噴霧するために前記除菌ミストシャワー装置を作動させるための噴霧用ボタンを備えた、
又は、
入場管理装置を構成する前記基礎部の周辺に設けられ、ミストシャワーを噴霧するために前記除菌ミストシャワー装置を作動させるための足踏み式スイッチを備えた、請求項７または請求項１０に記載の入場管理装置。
【請求項１２】
前記設置部に、上部に入力手段及び前記撮像手段を有する前記顔認証システムを備えたＡＩ認証端末により構成された、入出場者管理装置と、
前記訪問者の全身又は半身を除菌する除菌ミストシャワー装置とを備えており、
前記設置部は、前記入出場者管理装置を上部に配設され、
上部から下方に亘って、前記除菌ミストシャワー装置のミストノズルが配設され、
前記基礎部は、前記除菌ミストシャワー装置を構成する貯水槽、超音波振動装置及び送風装置が配設され、
前記基礎部に配設された前記除菌ミストシャワー装置には、前記貯水槽の底部に設けられ、霧を発生させる前記超音波振動装置及び前記送風装置により供給された空気を、前記貯水槽の上部の霧が発生する空間に送るために接続される送風管が配置され、前記設置部に配設された前記ミストノズルと前記貯水槽の間には、吐出管が配設され、
前記吐出管は、前記設置部の中に形成された空洞部に配設された、
請求項１０に記載の入場管理装置。
【手続補正２】
【補正対象書類名】明細書
【補正対象項目名】０００６
【補正方法】変更
【補正の内容】
【０００６】
この入場管理装置、
訪問者を撮影するために、入場する場所の入り口に設置される撮像手段を有し、前記撮像手段により撮像された前記訪問者の顔画像に関する情報を受け付け、前記撮像手段により撮像された前記訪問者の顔画像に関する情報と記録されている前記訪問者の顔画像に関する情報とを比較することにより前記訪問者の認証を行い、入場を許可するように構成された顔認証システムを備えた、入出場者管理装置と、
訪問者の手指の除菌をする消毒液を抽出または噴霧する除菌装置と、
訪問者の全身または半身を除菌する除菌ミストシャワー装置とを配設した、
設置部を備える。
【手続補正３】
【補正対象書類名】明細書
【補正対象項目名】０００７
【補正方法】変更
【補正の内容】
【０００７】
顔認証システムは、出勤及び退勤を管理するシステムにおいて管理している顔写真と照合し、訪問者が出勤したこと及び退勤したことを管理する手段を備えていても良い。
【手続補正４】
【補正対象書類名】明細書
【補正対象項目名】０００８
【補正方法】変更
【補正の内容】
【０００８】
入出場者管理装置は、訪問者の顔を撮像するときに、温度センサー素子により訪問者の体温を測定するための温度検知システムを備えていても良い。
【手続補正５】
【補正対象書類名】明細書
【補正対象項目名】０００９
【補正方法】変更
【補正の内容】
【０００９】
入出場者管理装置は、マスク着用の有無を判断するマスク非着用を判断し、撮像手段により訪問者を撮像した画像からマスク非着用を判断したときに、マスク着用を促す音声または表示をする手段を備えていても良い。
【手続補正６】
【補正対象書類名】明細書
【補正対象項目名】００１０
【補正方法】変更
【補正の内容】
【００１０】
入出場者管理装置は、入出場ゲートの施錠システムと電気的に接続され又は通信手段により接続され、温度検知システムにより検温された体温が設定温度を超えた場合、入出場ゲートが開かないようにするかまたは施錠する手段を備えていても良い。
【手続補正７】
【補正対象書類名】明細書
【補正対象項目名】００１１
【補正方法】変更
【補正の内容】
【００１１】
入出場者管理装置は、訪問者の顔に近い位置に固定され、除菌装置は、訪問者の手に近い位置に取り付けられ、大人から子供までミスト除菌をすることができるように、除菌ミストシャワー装置は、１８０ｃｍの高さより、下方において複数個配設されていても良い。
【手続補正８】
【補正対象書類名】明細書
【補正対象項目名】００１２
【補正方法】変更
【補正の内容】
【００１２】
さらに、除菌装置は、検知手段により人の手指が噴射予定位置に接近したことを検知することにより、噴射装置制御手段により制御された時間を訪問者への消毒液の噴射時間として取得し、訪問者の個人情報として取得する手段を備えていても良い。